(57)【特許請求の範囲】
【請求項１】
上部が開口した箱状をなして内部に廃棄物を収納可能な容器本体と、前記開口を閉塞して該容器本体に固定される蓋と、前記容器本体の上角部に水平方向に沿ったボルトにより着脱自在に固定され、前記蓋よりも上方に突出する板状の上部緩衝体と、前記容器本体の下角部に水平方向に沿ったボルトにより着脱自在に固定され、前記容器本体の下面よりも下方に突出する下部緩衝体とを具備し、
前記上部緩衝体が、前記容器本体に取付られる取付部と、前記取付部に連続し、外側に傾斜して広がる傾斜部と、前記傾斜部に連続し、上方へ突出する緩衝部とを有し、
前記下部緩衝体が、前記容器本体の側面及び下面に密着する面で構成されたものであり、
前記上部緩衝体に近接して上補強部材が設けられる一方、前記下部緩衝体に近接して下補強部材が設けられ、
前記上補強部材は、前記容器本体の外壁面に突出し溶接により固定され、前記上部緩衝体の取付部の下面に接触する水平部と、前記水平部に連続し、前記上部緩衝体の取付部の側面に接触する鉛直部とを有し、
前記下補強部材は、前記容器本体の外壁面に突出し溶接により固定され、前記下部緩衝体の上面に接触する水平部と、前記水平部に連続し、前記下部緩衝体の側面に接触する鉛直部とを有する
ことを特徴とする廃棄物収納容器。
【請求項２】
請求項１記載の廃棄物収納容器において、
前記容器本体の側壁部に水平方向に沿ったボルトにより着脱自在に固定されたトラニオンをさらに具備し、
前記トラニオンが、前記容器本体の側壁部に取り付けられる円盤形状をなす取付フランジ部と、前記取付フランジ部に連続し円柱形状をなす係止部とを有し、
前記トラニオンに近接して補強リングが設けられ、
前記補強リングが、前記容器本体の外壁面に突出し溶接により固定され、前記トラニオンの前記取付フランジ部の外周面に接触するリング形状をなしている
ことを特徴とする廃棄物収納容器。
【発明の詳細な説明】
【０００１】
【発明の属する技術分野】
本発明は、低レベルの放射性廃棄物を収納して輸送、あるいは処分するために使用される廃棄物収納容器に関する。
【０００２】
【従来の技術】
低レベルの放射性廃棄物は、廃棄物収納容器に収納された状態で、輸送、あるいは処分されるものである。この廃棄物収納容器は、一般に、箱状をなす容器本体にシール部材を介して蓋が固定されてなり、内部に収容する放射線物質を密封する構造となっている。そして、容器本体はその側板及び底板は所定の厚さが確保され、十分な強度が確保されている。しかし、クレーンなどでの輸送中に、この廃棄物収納容器が落下して破損する場合のことを考慮し、上下の角部に緩衝部材が固定されている。
【０００３】
【発明が解決しようとする課題】
ところが、上述した従来の廃棄物収納容器にあって、輸送中に廃棄物収納容器が落下して緩衝部材が破損したときには、収納容器が緩衝機能を有していないために廃棄物収納容器として継続して使用することができない。そのため、破損した緩衝部材を新しいものと交換するが、この緩衝部材は溶接により容器本体に固定されているため、容易に交換することができない。
【０００４】
そこで、緩衝部材をボルトにより容器本体に着脱可能に装着し、この緩衝部材の破損時には新しいものと容易に交換することが考えられる。ところが、緩衝部材をボルトにより容器本体に装着する場合、容器本体側にねじ孔を形成しておく必要がある。そのため、廃棄物収納容器が落下して緩衝部材に外力が作用して破損したときには、この外力がボルトにせん断力として伝達し、このボルトやねじ孔が破損する。すると、破損した緩衝部材に代えて新しい緩衝部材を装着することができないという問題がある。
【０００５】
本発明はこのような問題を解決するものであって、容器本体の外壁面に装着された部材が破損しても容易に交換可能とした廃棄物収納容器を提供することを目的とする。
【０００６】
【課題を解決するための手段】
上述の目的を達成するための請求項１の発明の廃棄物収納容器は、
上部が開口した箱状をなして内部に廃棄物を収納可能な容器本体と、前記開口を閉塞して該容器本体に固定される蓋と、前記容器本体の上角部に水平方向に沿ったボルトにより着脱自在に固定され、前記蓋よりも上方に突出する板状の上部緩衝体と、前記容器本体の下角部に水平方向に沿ったボルトにより着脱自在に固定され、前記容器本体の下面よりも下方に突出する下部緩衝体とを具備し、
前記上部緩衝体が、前記容器本体に取付られる取付部と、前記取付部に連続し、外側に傾斜して広がる傾斜部と、前記傾斜部に連続し、上方へ突出する緩衝部とを有し、
前記下部緩衝体が、前記容器本体の側面及び下面に密着する面で構成されたものであり、
前記上部緩衝体に近接して上補強部材が設けられる一方、前記下部緩衝体に近接して下補強部材が設けられ、
前記上補強部材は、前記容器本体の外壁面に突出し溶接により固定され、前記上部緩衝体の取付部の下面に接触する水平部と、前記水平部に連続し、前記上部緩衝体の取付部の側面に接触する鉛直部とを有し、
前記下補強部材は、前記容器本体の外壁面に突出し溶接により固定され、前記下部緩衝体の上面に接触する水平部と、前記水平部に連続し、前記下部緩衝体の側面に接触する鉛直部とを有する
ことを特徴とするものである。
【０００９】
請求項２の発明の廃棄物収納容器では、
前記容器本体の側壁部に水平方向に沿ったボルトにより着脱自在に固定されたトラニオンをさらに具備し、
前記トラニオンが、前記容器本体の側壁部に取り付けられる円盤形状をなす取付フランジ部と、前記取付フランジ部に連続し円柱形状をなす係止部とを有し、
前記トラニオンに近接して補強リングが設けられ、
前記補強リングが、前記容器本体の外壁面に突出し溶接により固定され、前記トラニオンの前記取付フランジ部の外周面に接触するリング形状をなしている
ことを特徴としている。
【００１３】
【発明の実施の形態】
以下、本発明の実施の形態を図面に基づいて詳細に説明する。
【００１４】
図１に本発明の第１実施形態に係る廃棄物収納容器の概略、図２に上部緩衝体の取付構造を表す正面視、図３に下部緩衝体の取付構造を表す正面視、図４にトラニオンの取付構造を表す断面を示す。
【００１５】
本実施形態の廃棄物収納容器は、低レベルの放射性廃棄物を収納して輸送、あるいは処分するために使用されるものである。図１に示すように、廃棄物収納容器１１は、上部が開口した箱状をなして内部に廃棄物を収納可能な容器本体１２と、この開口を閉塞するように容器本体１２の上部に図示しないガスケットを介して多数のボルト１３により固定された蓋１４と、容器本体１２の各上角部に固定された４つの上部緩衝体（取付部材）１５と、容器本体１２の各下角部に固定された４つの下部緩衝体（取付部材）１６と、容器本体１２の側壁部に固定された４つのトラニオン（取付部材、吊具）１７とで構成されている。
【００１６】
この容器本体１２及び蓋１４は所定厚さの炭素鋼板からなり、容器本体１２は４枚の側板と底板が溶接により組み立てられて構成され、蓋１４は上面部に４つの吊り金具１８が固定されており、内部に低レベルの放射性廃棄物を図示しないガイド及びスペーサによりガタつきなく収納し、外部に対して主要なガンマ線を遮蔽することができる。そして、上部緩衝体１５及び下部緩衝体１６は、例えば、クレーン装置で輸送中の廃棄物収納容器１１が地震などにより落下あるいはこの廃棄物収納容器１１上に部材が落下したときに、各緩衝体１５，１６が変形して衝撃力を吸収することで、容器本体１２の破損を防止するものである。
【００１７】
即ち、上部緩衝体１５は、図１及び図２に示すように、鋼板が略Ｌ字形状に折曲されてなり、８つの取付孔が形成された取付部１５ａと外側に傾斜して広がる傾斜部１５ｂと上端の緩衝部１５ｃとから構成されている。そして、上部緩衝体１５は取付部１５ａが容器本体１２の各上角部に密着し、水平方向に沿った８本のボルト１９が各取付孔を貫通し、容器本体１２に形成された図示しないねじ孔に螺合することで取付けられており、緩衝部１５ｃが容器本体１２に固定された蓋１３よりも上方に突出している。
【００１８】
そして、下部緩衝体１６は、図１及び図３に示すように、木材をステンレス鋼により被覆して形成され、容器本体１２の２つの側面及び下面に密着するように構成されている。そして、下部緩衝体１６は容器本体１２の各下角部に密着し、水平方向に沿った４本のボルト２０が各取付孔を貫通し、容器本体１２に形成された図示しないねじ孔に螺合することで取付けられている。
【００１９】
また、トラニオン１７は、図１及び図４に示すように、図示しないクレーン装置から下ろされたワイヤロープを引っ掛けて廃棄物収納容器１１を吊り上げるものであり、複数の取付孔が形成された円盤形状をなす取付フランジ部１７ａと、ワイヤロープを引っ掛けるために略円柱形状をなす係止部１７ｂとを有している。そして、トラニオン１７は取付フランジ部１７ａの下面が容器本体１２の側面に密着し、水平方向に沿った複数のボルト２１が各取付孔を貫通し、容器本体１２に形成されたねじ孔２２に螺合することで取付けられており、係止部１７ｂが容器本体１２の側方に突出している。
【００２０】
そして、この廃棄物収納容器１１は、上部緩衝体１５、下部緩衝体１６、トラニオン１７が容器本体１２に各ボルト１９，２０，２１により着脱自在に取付けられており、変形破損時には交換可能となっている。ところが、廃棄物収納容器１１が落下あるいはこの廃棄物収納容器１１上に部材が落下し、上部緩衝体１５、下部緩衝体１６、トラニオン１７に外力が作用して変形したときには、この外力が各ボルト１９，２０，２１にせん断力として伝達され、破断やねじ孔の破損が発生し、ボルト１９，２０，２１の弛緩や締結ができなくなってしまう。
【００２１】
そこで、本実施形態では、廃棄物収納容器１１が落下あるいはこの廃棄物収納容器１１上に部材が落下して、上部緩衝体１５、下部緩衝体１６、トラニオン１７に外力が作用したときには、この外力が各ボルト１９，２０，２１にせん断力として伝達されないように、容器本体１２には、上部緩衝体１５、下部緩衝体１６、トラニオン１７に近接して補強部材３１，３２，３３が固定されている。
【００２２】
即ち、図１及び図２に示すように、各上部緩衝体１５の下方側には上補強部材３１が容器本体１２の外壁面に突出して溶接により固定されており、この上補強部材３１は取付部１５ａの下面に接触する水平部３１ａと側面に接触する鉛直部３１ｂとを有している。従って、上補強部材３１は上部緩衝体１５の下方及び側方への移動を阻止することで、ボルト１９に作用するせん断力を抑制することができる。
【００２３】
また、図１及び図３に示すように、各下部緩衝体１６の上方側には下補強部材３２が容器本体１２の外壁面に突出して溶接により固定されており、この下補強部材３２は下部緩衝体１６の上面に接触する水平部３２ａと側面に接触する鉛直部３２ｂとを有している。従って、下補強部材３２は下部緩衝体１６の上方及び側方への移動を阻止することで、ボルト２０に作用するせん断力を抑制することができる。
【００２４】
更に、図１及び図４に示すように、各トラニオン１７の周囲には補強リング３３が容器本体１２の外壁面に突出して溶接により固定されており、この補強リング３３は取付フランジ部１７ａの外周面に接触するようなリング形状をなしている。従って、補強リング３３はトラニオン１７の上方、下方及び側方への移動を阻止することで、ボルト２１に作用するせん断力を抑制することができる。
【００２５】
このように構成された本実施形態の廃棄物収納容器において、この廃棄物収納容器１１が落下したときには、容器本体１２の角部から床面に衝突しやすく、この場合、容器本体１２の角部に取付けられた上部緩衝体１５あるいは下部緩衝体１６に外力が作用して変形して衝撃力を吸収することで、容器本体１２の破損を防止することができる。そして、このとき、上部緩衝体１５あるいは下部緩衝体１６に外力が作用しても、各緩衝体１５，１６は補強部材３１，３２によりその移動が阻止されており、この外力が各ボルト１９，２０にせん断力として伝達されることはほとんどない。そのため、このボルト１９，２０が破断したり、容器本体１２側のねじ孔が破損したりすることはなく、変形した上部緩衝体１５あるいは下部緩衝体１６のボルト１９，２０を容易に弛緩し、新しい緩衝体１５，１６と適切に交換することができる。
【００２６】
また、廃棄物収納容器１１の落下時に、トラニオン１７に外力が作用して変形した場合であってても、このトラニオン１７は補強部材３３によりその移動が阻止されており、この外力が各ボルト２１にせん断力として伝達されることはほとんどない。そのため、このボルト２１が破断したり、容器本体１２側のねじ孔２２が破損したりすることはなく、変形したトラニオン１７のボルト２１を容易に弛緩し、新しいものと適切に交換することができる。
【００２７】
図５に本発明の第２実施形態に係る廃棄物収納容器における上部緩衝体の取付構造を表す断面、図６に本実施形態の廃棄物収納容器におけるトラニオンの取付構造を表す断面、図７に本発明の第３実施形態に係る廃棄物収納容器の概略、図８に上部緩衝体の取付構造を表す断面を示す。なお、前述した実施形態で説明したものと同様の機能を有する部材には同一の符号を付して重複する説明は省略する。
【００２８】
第２実施形態の廃棄物収納容器にあっては、図５及び図６に示すように、廃棄物収納容器が落下して上部緩衝体４１やトラニオン４２に外力が作用したときにボルト４３やねじ部４４にせん断力として伝達されないように、容器本体４５には補強段部４６，４７が形成されている。
【００２９】
即ち、上部緩衝体４１は、図５に示すように、前述した第１実施形態のものとほぼ同様の構成をなし、鋼板が略Ｌ字形状に折曲されて複数の取付孔が形成された取付部４１ａと傾斜部４１ｂと緩衝部４１ｃとから構成されている。一方、容器本体４５の角部の外壁面には、上部緩衝体４１の取付部４１ａに対応して水平段部４６ａと鉛直段部４６ｂとからなる補強段部４６が凹設されている。そして、上部緩衝体４１は取付部４１ａがこの補強段部４６に適合し、取付部４１ａの下面が水平段部４６ａに接触すると共に、側面が鉛直段部４６ｂに接触した状態で、水平方向に沿った各ボルト４３が取付孔を貫通し、容器本体４５に形成された図示しないねじ孔に螺合することで取付けられている。従って、補強段部４６は上部緩衝体４１の下方及び側方への移動を阻止することで、ボルト４３に作用するせん断力を抑制することができる。
【００３０】
また、トラニオン４２は、図６に示すように、円盤形状をなす取付フランジ部４２ａと略円柱形状をなす係止部４２ｂとねじ部４４とを有している。一方、容器本体４５の側壁面には、トラニオン４２の取付フランジ部４２ａに対応した補強段部４７が凹設され、この補強段部４７の中心にねじ孔４８が形成されている。そして、トラニオン４２はねじ部４４をねじ孔４８に螺合させていくことで、取付フランジ部４２ａがこの補強段部４７に適合して取付けられている。従って、補強段部４７はトラニオン４２の上方、下方及び側方への移動を阻止することで、ねじ部４４に作用するせん断力を抑制することができる。
【００３１】
このように本実施形態では、この廃棄物収納容器が落下したときに、容器本体４５の上部緩衝体４１に外力が作用して変形して衝撃力を吸収することで、容器本体４５の破損を防止することができる。そして、このとき、上部緩衝体４１に外力が作用しても補強段部４６によりその移動が阻止されており、この外力が各ボルト４３にせん断力として伝達されることはほとんどない。そのため、このボルト４３が破断したり、容器本体４５側のねじ孔が破損したりすることはなく、変形した上部緩衝体４１のボルト４３を容易に弛緩し、新しいものと適切に交換することができる。
【００３２】
また、廃棄物収納容器の落下時に、トラニオン４２に外力が作用して変形した場合であってても、このトラニオン４２は補強段部４７によりその移動が阻止されており、この外力がねじ部４４にせん断力として伝達されることはほとんどない。そのため、このねじ部４４が破断したり、容器本体４５側のねじ孔４８が破損したりすることはなく、変形したトラニオン４２のねじ部４４を容易に弛緩し、新しいものと適切に交換することができる。
【００３３】
なお、本実施形態では、容器本体４５の上角部に取付けられた上部緩衝体４１についてのみ説明したが、容器本体４５の下角部に取付けられた下部緩衝体にあっても、取付部がこの補強段部に適合した状態で、ボルト４３により取付けることで、上部緩衝体４１と同様の作用効果を奏することができる。
【００３４】
第３実施形態の廃棄物収納容器にあっては、図７及び図８に示すように、廃棄物収納容器が落下して上部緩衝体５１（あるいは下部緩衝体、トラニオン）に外力が作用したときにねじ部５２にせん断力として伝達されないように、容器本体５３及び蓋５４に補強段部５５が形成されている。
【００３５】
即ち、上部緩衝体５１は上方のみ開口した角筒形状（円筒形状や内部をハニカム構造としてもよい。）をなし、円盤形状の取付部５１ａと緩衝部５１ｂとねじ部５２とから構成され、容器本体５３及び蓋５４における一つのの角部に３つの上部緩衝体５１が取付けられる。一方、容器本体５４及び蓋５４の角部周辺の外壁面には、上部緩衝体５１の取付部５１ａに対応して補強段部５５が凹設され、この補強段部５５の中心にねじ孔５６が形成されている。そして、上部緩衝体５１はねじ部５２をねじ孔５６に螺合させていくことで、取付部５１ａがこの補強段部５５に適合して取付けられている。従って、補強段部５５は上部緩衝体５１の少なくとも下方及び側方への移動を阻止することで、ねじ部５２に作用するせん断力を抑制することができる。
【００３６】
このように本実施形態では、廃棄物収納容器が落下したときに、容器本体５３の上部緩衝体５１に外力が作用して変形して衝撃力を吸収することで、容器本体５３の破損を防止することができる。そして、このとき、上部緩衝体５１に外力が作用しても補強段部５５によりその移動が阻止されており、この外力がねじ部５２にせん断力として伝達されることはほとんどない。そのため、このねじ部５２が破断したり、容器本体５３側のねじ孔５６が破損したりすることはなく、変形した上部緩衝体５１のねじ部５２を容易に弛緩し、新しいものと適切に交換することができる。
【００３７】
なお、本実施形態では、容器本体５３の上角部に取付けられた上部緩衝体５１についてのみ説明したが、容器本体５３の下角部に取付けられた下部緩衝体にあっても、取付部と筒形状の緩衝部とねじ部とにより構成し、ねじ部５２をねじ孔５６に螺合させて取付部を補強段部に適合して取付けることで、上部緩衝体５１と同様の作用効果を奏することができる。
【００３８】
【発明の効果】
以上、実施形態において詳細に説明したように請求項１の発明の廃棄物収納容器によれば、廃棄物を収納可能な容器本体の外壁面にこの容器本体の上角部および下角部に水平方向に沿ったボルトをもって上部緩衝体および下部緩衝体を着脱自在に取付け、上部緩衝体および下部緩衝体に外力が作用したときにボルトにせん断力として伝達するのを防止する上補強部材および下補強部材を容器本体に上部緩衝体および下部緩衝体に近接して固定したので、廃棄物収納容器が落下して上部緩衝体および下部緩衝体に外力が作用して変形するとき、上部緩衝体および下部緩衝体に作用した外力は上補強部材および下補強部材によりボルトにせん断力として伝達するのが防止されることとなり、ボルトが破断や破損したりすることはなく、変形した上部緩衝体および下部緩衝体を容易に新しいものと交換することができる。
さらに、上補強部材および下補強部材を容器本体の外壁面に突出して溶接された補強部材としたので、容器本体や上部緩衝体および下部緩衝体を変更することなく、上部緩衝体および下部緩衝体に作用した外力によるボルトの破断を防止することができる。
【００４１】
請求項２の発明の廃棄物収納容器によれば、容器本体の側壁部に水平方向に沿ったボルトにより固定されたトラニオンをさらに具備し、前記トラニオンが、前記容器本体の側壁部に取り付けられる円盤形状をなす取付フランジ部と、前記取付フランジ部に連続し円柱形状をなす係止部とを有し、前記トラニオンに近接して補強リングが設けられ、前記補強リングが、前記容器本体の外壁面に突出し溶接により固定され、前記トラニオンの前記取付フランジ部の外周面に接触するリング形状をなしていることにより、補強リングがこのトラニオンの上方、下方及び側方への移動を阻止するので、廃棄物収納容器が落下してトラニオンに外力が作用し、このトラニオンが破損しても、トラニオンに作用した外力は補強リングによりボルトにせん断力として伝達するのが防止されることとなり、ボルトは破断することはなく、変形したトラニオンを容易に交換することができる。
【図面の簡単な説明】
【図１】本発明の第１実施形態に係る廃棄物収納容器の概略図である。
【図２】上部緩衝体の取付構造を表す正面図である。
【図３】下部緩衝体の取付構造を表す正面図である。
【図４】トラニオンの取付構造を表す断面図である。
【図５】本発明の第２実施形態に係る廃棄物収納容器における上部緩衝体の取付構造を表す断面図である。
【図６】本実施形態の廃棄物収納容器におけるトラニオンの取付構造を表す断面図である。
【図７】本発明の第３実施形態に係る廃棄物収納容器の概略図である。
【図８】上部緩衝体の取付構造を表す断面図である。
【符号の説明】
１１  廃棄物収納容器
１２  容器本体
１４  蓋
１５  上部緩衝体
１６  下部緩衝体
１７  トラニオン（吊具）
１９  ボルト（取付軸）
２０  ボルト（取付軸）
２１  ボルト（取付軸）
３１  上補強部材
３２  下補強部材
３３  補強リング
４１  上部緩衝体
４２  トラニオン（吊具）
４３  ボルト（取付軸）
４４  ねじ部
４５  容器本体
４６，４７  補強段部
４８  ねじ孔
【図１】
0004402322.tif 000002
【図２】
0004402322.tif 000003
【図３】
0004402322.tif 000004
【図４】
0004402322.tif 000005
【図５】
0004402322.tif 000006
【図６】
0004402322.tif 000007
【図７】
0004402322.tif 000008
【図８】
0004402322.tif 000009